(57)【要約】【課題】デジタルチューナが自ら再起動するという故障が発生した場合に当該故障の発生回数を確認することができるデジタルテレビ受信機を提供することを目的とする。【解決手段】デジタルチューナ内の電源部と、前記電源部の制御を行うデジタルチューナ内の第２のＣＰＵと、テレビ側信号処理部ブロック内の不揮発性メモリと、前記電源部が既にオンの状態であって前記第２のＣＰＵが前記電源部に対しオン指令を出した旨の通知を前記第２のＣＰＵから受信する毎に前記通知の累積回数を示す情報を前記不揮発性メモリに書込む制御を行うテレビ側信号処理部ブロック内の第１のＣＰＵとを備えた構成を有している。【選択図】図１
2007288308.tif 000002
【特許請求の範囲】
【請求項１】
デジタルチューナ内の電源部と、
前記電源部の制御を行うデジタルチューナ内の第２のＣＰＵと、
テレビ側信号処理部ブロック内の不揮発性メモリと、
前記電源部が既にオンの状態であって前記第２のＣＰＵが前記電源部に対しオン指令を出した旨の通知を前記第２のＣＰＵから受信する毎に前記通知の累積回数を示す情報を前記不揮発性メモリに書込む制御を行うテレビ側信号処理部ブロック内の第１のＣＰＵと、
を有するデジタルテレビ受信機。
【発明の詳細な説明】
【技術分野】
【０００１】
本発明は、デジタルテレビ受信機の故障の解析に関する。
【背景技術】
【０００２】
現在、デジタルテレビのデジタルチューナ規模は、大容量化、高機能化が進みソフトウエアバグ等による故障事例が見受けられる。従来、デジタルテレビのソフトウエアおよびハードウエアが市場において故障が発生した際、動作できない状態が一定の時間以上経過した場合、「デジタルチューナが操作できません」などの警告バナーを画面に表示させ、ユーザーに電源の再起動を促す機能があった（例えば非特許文献１参照。）。
【非特許文献１】松下電器産業株式会社  「Ｐａｎａｓｏｎｉｃ地上・ＢＳ・１１０度ＣＳデジタルハイビジョンプラズマテレビ取扱説明書（テレビ編）」１５４頁、２００５年出版
【発明の開示】
【発明が解決しようとする課題】
【０００３】
しかしながら上記の従来の構成では、デジタルチューナが自ら再起動するという故障が発生した場合については記録を残す手段がなかったため、市場において修理担当者が再起動の履歴を確認することができず、また、上記故障が発生したデジタルテレビ受信機がメーカーに持ち込まれた場合に故障の解析を行うが故障が再現されず原因不明のまま市場に戻され不具合が再発する可能性があるという問題点を有していた。
【０００４】
本発明は上記従来の問題点を解決するもので、デジタルチューナが自ら再起動するという故障が発生した場合に当該故障の発生回数を確認することができるデジタルテレビ受信機を提供することを目的とする。
【課題を解決するための手段】
【０００５】
この目的を達成するために本発明のデジタルテレビ受信機は、デジタルチューナ内の電源部と、前記電源部の制御を行うデジタルチューナ内の第２のＣＰＵと、テレビ側信号処理部ブロック内の不揮発性メモリと、前記電源部が既にオンの状態であって前記第２のＣＰＵが前記電源部に対しオン指令を出した旨の通知を前記第２のＣＰＵから受信する毎に前記通知の累積回数を示す情報を前記不揮発性メモリに書込む制御を行うテレビ側信号処理部ブロック内の第１のＣＰＵとを備えた構成を有している。
【０００６】
この構成によって、デジタルチューナが自ら再起動するという故障が発生した場合に当該故障の発生回数を確認することができるデジタルテレビ受信機を提供することができる。
【発明の効果】
【０００７】
以上のように本発明は、デジタルチューナが自ら再起動するという故障が発生した場合に当該故障の発生回数を確認することができるデジタルテレビ受信機を提供することができるという優れた効果が得られる。
【発明を実施するための最良の形態】
【０００８】
（実施の形態１）
以下、本発明の実施の形態について説明する。図１は、本発明の実施の形態１におけるデジタルテレビ受信機の構成を示すブロック図である。１００はデジタルテレビ受信機、１１０はデジタルチューナ、１１１はデジタルチューナ１１０の信号処理を行う第１の信号処理部、１１２は後述する電源部１１３の制御および第１の信号処理部１１１の制御を行う第２のＣＰＵ、１１３はデジタルチューナ１１０内の電源部、１２０はデジタルチューナを有さずアナログチューナのみ有するテレビ側信号処理部ブロック、１２１は外部入力系および第１の信号処理部１１１からの信号処理を行う第２の信号処理部、１２２はテレビ側信号処理部ブロック１２０内の電源制御、第２の信号処理部１２１および後述のＥＥＰＲＯＭ１２３の記録の制御を行う第１のＣＰＵ、１２３は電源部１１３が既にオンの状態であって第２のＣＰＵ１１２が電源部１１３に対しオン指令を出した旨の通知を第１のＣＰＵ１２２が第２のＣＰＵから受信する毎に前記通知の累積回数を示す情報および選局情報等を記録するＥＥＰＲＯＭ(不揮発性メモリ）、１３０は映像を表示する表示デバイスである。
【０００９】
以上のように構成されたデジタルテレビ受信機について、図２を用いてその動作を説明する。図２は本発明の実施の形態１におけるデジタルテレビ受信機の動作内容のフローチャートである。まず、第１のＣＰＵ１２２を起動する（ステップＳ２１０）。次にデジタルチューナ１１０の電源部１１３がオフからオンに変化する（ステップＳ２２０）。次にデジタルチューナ１１０の電源部１１３をオフにしたかを判断する（ステップＳ２３０）。ＹＥＳの場合は終了する。ＮＯの場合はオフにせずにデジタルチューナ１１０の電源部１１３がオン状態であるにも拘わらず第１のＣＰＵ１２２は第２のＣＰＵ１１２からの通信ＲＥＡＤＹコマンドを受信し第２のＣＰＵ１１２に対して通信確立コマンドを送信したかを判断する（ステップＳ２４０）。ＮＯの場合は再びステップＳ２３０に戻る。ＹＥＳの場合はＥＥＰＲＯＭ１２３の所定アドレスの値をインクリメントする（ステップＳ２５０）。そして再びステップＳ２３０に戻る。
【００１０】
図３は本発明の実施の形態１における第１のＣＰＵ１２２と第２のＣＰＵ１１２との交信を示す図である。デジタルチューナ１００の最初の電源起動時３０１において、第２のＣＰＵ１１２はデジタルチューナ１００の電源を起動すると共に、デジタルチューナ１００の電源が起動した旨の通信ＲＥＡＤＹコマンドを第１のＣＰＵ１２２に対して送信する。第１のＣＰＵ１２２は、第２のＣＰＵ１１２より１回目の通信ＲＥＡＤＹコマンドを受信すると、第２のＣＰＵ１１２に対して１回目の通信確立コマンドを送信し起動が完了する。ここでＥＥＰＲＯＭ１２３の所定アドレスのデータを０ｘ００としておく。
【００１１】
次に、電源を入れたままの状態にもかかわらずデジタルチューナ１００がハードウェアあるいはソフトウェアのバグのために第２のＣＰＵ１１２の指令による１回目の再起動時３０２には、２回目の通信ＲＥＡＤＹが第１のＣＰＵ１２２に送信される。第１のＣＰＵ１２２は、電源を入れているにもかかわらず２回目の通信ＲＥＡＤＹを受信した場合、ＥＥＰＲＯＭ１２３の所定アドレスのデータをインクリメントして０ｘ０１を書き込み履歴を残す。２回目の再起動時３０３以降も同様に第１のＣＰＵ１２２は、通信ＲＥＡＤＹを受信する毎にＥＥＰＲＯＭ１２３の所定アドレスのデータをインクリメントして書き込みを行う。
【００１２】
以上のように本実施の形態１によれば、デジタルチューナ内の電源部と、前記電源部の制御を行うデジタルチューナ内の第２のＣＰＵと、テレビ側信号処理部ブロック内の不揮発性メモリと、前記電源部が既にオンの状態であって前記第２のＣＰＵが前記電源部に対しオン指令を出した旨の通知を前記第２のＣＰＵから受信する毎に前記通知の累積回数を示す情報を前記不揮発性メモリに書込む制御を行うテレビ側信号処理部ブロック内の第１のＣＰＵとを設けることにより、ＥＥＰＲＯＭ１２３の所定アドレスのデータを調べることによりバグによる再起動が何回行われたかを調べることができる。
【００１３】
なお、以上の説明ではＥＥＰＲＯＭ１２３の所定アドレスのデータをインクリメントするとしたが、インクリメントに限らず一定の変化により再起動の回数を把握できるものであればよい。
【産業上の利用可能性】
【００１４】
本発明のデジタルテレビ受信機は、デジタルチューナが自ら再起動するという故障が発生した場合に当該故障の発生回数を確認することができるという優れた効果を有しているため、視聴中にデジタルチューナがストップして勝手に再起動した場合の履歴の解析するための有効な手段となる。
【図面の簡単な説明】
【００１５】
【図１】本発明の実施の形態１におけるデジタルテレビ受信機の構成を示すブロック図
【図２】本発明の実施の形態１におけるデジタルテレビ受信機の動作内容のフローチャート
【図３】本発明の実施の形態１における第１のＣＰＵと第２のＣＰＵとの交信を示す図
【符号の説明】
【００１６】
１００    デジタルテレビ受信機
１１０    デジタルチューナ
１１１    第１の信号処理部
１１２    第２のＣＰＵ
１１３    電源
１２０    テレビ側信号処理部ブロック
１２１    第２の信号処理部
１２２    第１のＣＰＵ
１２３    ＥＥＰＲＯＭ
１３０    表示デバイス
【図１】
2007288308.tif 000003
【図２】
2007288308.tif 000004
【図３】
2007288308.tif 000005